(57)【要約】【課題】取り付けに係る作業性の向上や省スペース化を図ることが可能な電流センサの取付固定構造を提供する。【解決手段】電流センサ２におけるセンサブロック１８には、ケーブル接続部１０及びケーブル１７の端末に対し非挿通式の取り付けとなる取付固定手段２０が設けられている。取付固定手段２０は、ケーブル接続部１０及びケーブル１７の端末に対し直接後付けをすることができる部分として設けられている。取付固定手段２０は、ケーブル接続部１０を収容するための収容部２１と、この収容部２１を挟む位置に一体に形成される係止アーム２２、２２とを有している。また、結束バンドと、この結束バンドを使用するための部分として貫通形成される結束部材挿通部２３と、テープ巻きをするためのテープ巻き部２４とを有している。【選択図】図１
2011179824.tif 000002
【特許請求の範囲】
【請求項１】
バッテリーのバッテリーポストに接続されるバッテリーターミナルと該バッテリーターミナルに接続されるケーブルとの接続部、及び／又は前記ケーブルに対し、非挿通式で且つ後付け可能となる取付固定手段を電流センサに設ける
ことを特徴とする電流センサの取付固定構造。
【請求項２】
請求項１に記載の電流センサの取付固定構造において、
前記取付固定手段は、前記接続部及び／又は前記ケーブルに対し該ケーブルの径方向からの収容を可能とする収容部を含む
ことを特徴とする電流センサの取付固定構造。
【請求項３】
請求項２に記載の電流センサの取付固定構造において、
前記取付固定手段は、前記収容部を挟む位置に一体に形成される係止アーム、前記収容部における収容状態を保って結束する結束部材、及び前記収容部における収容状態を保って巻き付けられるテープ巻き、のうち少なくとも１つを含む
ことを特徴とする電流センサの取付固定構造。
【請求項４】
請求項１ないし請求項３いずれか記載の電流センサの取付固定構造において、
前記バッテリーターミナルよりも先に前記バッテリーポストに挿通されるポスト挿通孔を有するポスト取付固定部を前記電流センサに設ける
ことを特徴とする電流センサの取付固定構造。
【発明の詳細な説明】
【技術分野】
【０００１】
本発明は、バッテリー近傍における電流センサの取付固定構造に関する。
【背景技術】
【０００２】
近年、自動車の高機能化に伴い電装品が増加している。電装品の増加は、車載バッテリーの消耗を激しくするということが知られている。
【０００３】
従来、バッテリーのバッテリーポストに接続されるバッテリーターミナル、又はこのバッテリーターミナルに接続されるケーブルには、電流センサが取り付けられている。電流センサは、略環状となるコア及びホール素子を備えており、ケーブル等に対して挿通により組み付けられるようになっている（例えば、下記特許文献１参照）。
【先行技術文献】
【特許文献】
【０００４】
【特許文献１】特開２００４−２２６０８１号公報
【発明の概要】
【発明が解決しようとする課題】
【０００５】
ところで、上記従来技術にあっては、電流センサをケーブルに挿通する必要があるとともに、ケーブルに挿通した後にブラケットを用いて電流センサを取り付け固定する必要があることから、作業性がよいとは言えないという問題点を有している。また、作業手順が決まってしまうという問題点を有している。さらに、上記従来技術にあっては、ブラケットをボディ等へ固定する必要があることから、取り付けに係るスペースを確保しなければならないという問題点を有している。また、ブラケットを用いることから、電流センサの取り付け位置に自由度を持たせることができない可能性があるという問題点を有している。
【０００６】
本発明は、上記した事情に鑑みてなされたもので、取り付けに係る作業性の向上や省スペース化を図ることが可能な電流センサの取付固定構造を提供することを課題とする。また、取り付けに係る手順や位置に自由度を持たせることも可能な電流センサの取付固定構造を提供することを課題とする。
【課題を解決するための手段】
【０００７】
上記課題を解決するためになされた請求項１記載の本発明の電流センサの取付固定構造として、バッテリーのバッテリーポストに接続されるバッテリーターミナルと該バッテリーターミナルに接続されるケーブルとの接続部、及び／又は前記ケーブルに対し、非挿通式で且つ後付け可能となる取付固定手段を電流センサに設けることを特徴とする。
【０００８】
請求項２記載の本発明の電流センサの取付固定構造は、請求項１に記載の電流センサの取付固定構造において、前記取付固定手段は、前記接続部及び／又は前記ケーブルに対し該ケーブルの径方向からの収容を可能とする収容部を含むことを特徴とする。
【０００９】
請求項３記載の本発明の電流センサの取付固定構造は、請求項２に記載の電流センサの取付固定構造において、前記取付固定手段は、前記収容部を挟む位置に一体に形成される係止アーム、前記収容部における収容状態を保って結束する結束部材、及び前記収容部における収容状態を保って巻き付けられるテープ巻き、のうち少なくとも１つを含むことを特徴とする。
【００１０】
請求項４記載の本発明の電流センサの取付固定構造は、請求項１ないし請求項３いずれか記載の電流センサの取付固定構造において、前記バッテリーターミナルよりも先に前記バッテリーポストに挿通されるポスト挿通孔を有するポスト取付固定部を前記電流センサに設けることを特徴とする。
【００１１】
以上のような特徴を有する本発明によれば、電流センサに取付固定手段を設けることにより、バッテリーターミナルとケーブルとの接続部、及び／又はケーブルに対して電流センサを挿通しなくても取り付け固定をすることが可能になる。また、接続部及び／又はケーブルに対して直接、取り付け固定をすることにより、電流センサの取り付けに係るスペースを最小化することが可能になる。
【００１２】
本発明によれば、電流センサに取付固定手段を設けることにより、接続部及び／又はケーブルに対して後付けをすることが可能になり、結果、電流センサの取り付けに係る手順や固定位置を最適に設定することが可能になる。
【００１３】
本発明によれば、接続部及び／又はケーブルを収容するような状態で電流センサが固定される。具体的な固定の一例としては、係止アームによる係止、結束部材による結束、テープ巻きによる固定が挙げられる。この他の固定に関しては、バッテリーポストを利用することが有効である。
【発明の効果】
【００１４】
請求項１に記載された本発明によれば、取り付けに係る作業性の向上や省スペース化を図ることができるという効果を奏する。また、取り付けに係る手順や位置に自由度を持たせることができるという効果を奏する。
【００１５】
請求項２〜４に記載されたそれぞれ本発明によれば、より良い固定の一例を提供することができるという効果を奏する。
【図面の簡単な説明】
【００１６】
【図１】本発明の電流センサの取付固定構造を示す斜視図である（実施例１）。
【図２】図１の電流センサを取り付ける前の状態を示す斜視図である。
【図３】本発明の電流センサの取付固定構造を示す斜視図である（実施例２）。
【図４】図３の電流センサを取り付ける前の状態を示す斜視図である。
【図５】本発明の電流センサの取付固定構造を示す斜視図である（実施例３）。
【図６】図５の電流センサを取り付ける前の状態を示す斜視図である。
【図７】本発明の電流センサの取付固定構造を示す斜視図である（実施例４）。
【図８】図７の電流センサを取り付ける前の状態を示す斜視図である。
【図９】図７に対してバッテリーターミナルの延在方向を変えた状態の斜視図である。
【図１０】図９の電流センサを取り付ける前の状態を示す斜視図である。
【図１１】本発明の電流センサの取付固定構造を示す斜視図である（実施例５）。
【図１２】図１１の電流センサを取り付ける前の状態を示す斜視図である。
【図１３】図１１に対してバッテリーターミナルの延在方向を変えた状態の斜視図である。
【図１４】図１３の電流センサを取り付ける前の状態を示す斜視図である。
【発明を実施するための形態】
【００１７】
電流センサは、バッテリーターミナルとケーブルとの接続部、及び／又はケーブルに対し、係止アームによる係止、結束部材による結束、テープ巻きによる固定等にて後付けされる。また、電流センサは、ケーブルの径方向からの取り付けになるように後付けされる。電流センサは、上記の取付固定の他に、バッテリーポストを利用する固定も有効である。
【実施例１】
【００１８】
以下、図面を参照しながら実施例１を説明する。図１は本発明の電流センサの取付固定構造を示す斜視図である。また、図２は図１の電流センサを取り付ける前の状態を示す斜視図である。
【００１９】
図１及び図２において、引用符号１はバッテリーターミナルを示している。また、引用符号２は電流センサを示している。バッテリーターミナル１は、特に限定するものでないが、自動車等の移動体に搭載されるバッテリー３のバッテリーポスト４に接続されている。電流センサ２は、バッテリー３の残存容量を監視するためのものとして設けられている。電流センサ２は、コア及びホール素子を備えないコアレスタイプのものが用いられている。先ず、上記の各部材について詳細に説明をする。
【００２０】
上記バッテリー３は、上面５、図示しない下面、及び複数の側面を有しており、上面５には上記バッテリーポスト４が突出するように設けられている。上面５は、バッテリーポスト立設面となっている。バッテリーポスト４は、先端の直径が基端の直径よりも小さいテーパ状の周側面を有する略円錐台形状に形成されている。本実施例においては、このような形状のバッテリーポスト４に対して接続固定が可能となるバッテリーターミナル１が用いられている。
【００２１】
ここで、上記複数の側面のうち、バッテリーポスト４から遠い（離れる）側となる側面を第一側面６、近い側となる側面を第二側面７と定義するものとする。また、バッテリーポスト４への接続に係り、バッテリーターミナル１の延在方向を第一側面６の側とする場合と、延在方向を第二側面７の側とする場合の二つの接続があると定義するものとする（車種やグレードに応じて延在方向を変更する必要があるため）。
【００２２】
上記バッテリーターミナル１は、導電性を有する金属板を打ち抜いて折り曲げ加工を施すことにより製造されている。このようなバッテリーターミナル１は、環状部８と、一対の締め付け部９、９と、ケーブル接続部１０（接続部）とを有している。また、バッテリーターミナル１は、締め付けボルト１１と、この締め付けボルト１１に螺合するナット１２とを有している。
【００２３】
環状部８は、バッテリーポスト４に接続される部分であって、締め付け間隙１３を設けるためにこの一部が分断されたような形状に形成されている。すなわち、環状部８は、平面視略Ｃ字状となる図示のような形状に形成されている。環状部８の上縁及び下縁には、フランジ部１４がそれぞれ形成されている。
【００２４】
一対の締め付け部９、９は、環状部８の上記一部分断された部分に連続するように形成されている。一対の締め付け部９、９は、締め付け間隙１３を挟んで相対向するように配置形成されている。一対の締め付け部９、９には、締め付けボルト１１が貫通するように設けられている。バッテリーターミナル１は、一対の締め付け部９、９の間隔を締め付けボルト１１及びナット１２により狭めると、環状部８が縮径するような構造になっている。
【００２５】
一対の締め付け部９、９には、締め付けボルト１１が挿通される貫通孔（符号省略）と、環状部８のフランジ部１４に連続する締め付け部側のフランジ部１５とが形成されている。二つあるうちの一方の締め付け部９には、過剰な締め付けを防止するためのストッパ１６が連成されている。これに対して他方の締め付け部９には、ケーブル接続部１０が連成されている。
【００２６】
ケーブル接続部１０は、ケーブル１７の端末を接続する部分であって、特に図示しないが、一対の導体加締め片を有している。図中のケーブル接続部１０は、加締めを施した後の状態を模式的に示している。ケーブル接続部１０は、締め付けボルト１１の頭部に対して干渉しないような位置に配置形成されている。
【００２７】
上記電流センサ２は、本実施例において、ケーブル接続部１０に対し後付けにより取り付け固定されるようになっている。電流センサ２は、チップ型の電流検出回路部（図示省略）を内蔵するセンサブロック１８と、コネクタ部１９とを有して図示の形状に形成されている。センサブロック１８及びコネクタ部１９の大半は、絶縁性を有する樹脂材料にて成形されている。
【００２８】
センサブロック１８は、略矩形のブロック形状に形成されている（形状は一例であるものとする）。センサブロック１８には、ケーブル接続部１０及びケーブル１７の端末に対して非挿通式の取り付けとなる取付固定手段２０が設けられている。取付固定手段２０は、ケーブル接続部１０及びケーブル１７の端末に対して直接後付けをすることができる部分として設けられている。取付固定手段２０は、ケーブル接続部１０を収容するための収容部２１と、この収容部２１を挟む位置に一体に形成される係止アーム２２、２２とを有している。収容部２１は、略溝状となる形状であって、ケーブル１７の径方向からの収容が可能に開口形成されている。また、収容部２１は、ケーブル１７の延在方向となる溝両端部が開口するように形成されている。
【００２９】
係止アーム２２、２２は、互いに離間する方向に撓むようなアーム形状に形成されている。このアーム形状となる自由端部には、互いに内側を向く係止突起が形成されている。係止アーム２２、２２は、ケーブル接続部１０を係止することができるように形成されている（加締めを施した部分を係止することができるように形成されている）。
【００３０】
取付固定手段２０としては、上記の他に（本実施例においては特に使用していない）、収容部２１におけるケーブル接続部１０の収容状態を保って結束する図示しない結束バンド（結束部材）と、この結束バンドを使用するための部分として貫通形成される結束部材挿通部２３と、収容部２１におけるケーブル接続部１０の収容状態を保ってテープ巻き（図示省略）をするためのテープ巻き部２４とを有している。
【００３１】
テープ巻き部２４は、収容部２１の一方の溝端部に連続するように、また、センサブロック１８の側面から突出するように形成されている。テープ巻き部２４は、略樋状となる形状に形成されている。このようなテープ巻き部２４には、ケーブル１７の径が細くなった場合を考慮して、結束バンドを使用することが可能な結束部材挿通部２５が貫通形成されている。テープ巻き部２４は、ケーブル１７の被覆の位置でテープ巻きを施せるように配置形成されている。
【００３２】
コネクタ部１９は、ハウジング２６と、このハウジング２２内に配設される複数の端子金具（図示省略）とを有している。ハウジング２６には、バッテリー３の第一側面６に対して当接可能なストッパー２７が形成されている。このストッパー２７は、バッテリーターミナル１の回り止めとして機能するようになっている。
【００３３】
センサブロック１８における下面２８は、バッテリー３の上面５（バッテリーポスト立設面）に接触するような、言い換えれば載置されるような面として形成されている。下面２８は、バッテリーポスト立設面に接触することから、バッテリーターミナル１のバッテリー３に対する接続状態や固定状態の安定に寄与するようになっている（接触させずに所定の間隔をあけるようにしてもよいものとする）。
【００３４】
次に、上記構成及び構造に基づきながら、電流センサ２の取り付けと、バッテリーターミナル１のバッテリーポスト３への接続とについて説明をする。
【００３５】
電流センサ２の取り付けは、先ずケーブル１７を接続した状態のバッテリーターミナル１と電流センサ２とを上下に配置する。次にケーブル１７の径方向に電流センサ２を移動させ（又はバッテリーターミナル１を移動させ）、ケーブル接続部１０を収容部２１に収容する。この時、係止アーム２２、２２に撓みが生じ、ケーブル接続部１０が収容部２１に完全に収容されると係止アーム２２、２２は弾性復帰してケーブル接続部１０を係止する。以上により電流センサ２の取り付けが完了する。電流センサ２の取り付けは、上記説明の場合、ワンタッチで済み、非常に簡単である。尚、電流センサ２をより確実に固定するのであれば、結束部材及び／又はテープ巻きを施せばよい。
【００３６】
バッテリーポスト４への接続は、先ず電流センサ２を取り付けた状態のバッテリーターミナル１を下方向に移動させて環状部８をバッテリーポスト４の周側面に接触させる。次に、バッテリーターミナル１の向きを所定方向に合わせて配置する。続いて、バッテリーターミナル１の横方向からインパクトレンチ等の図示しない工具を用いてナット１２を締め付ける。これにより、環状部８が縮径方向に縮み、環状部８はバッテリーポスト４の周側面に対して圧接状態となる。以上によりバッテリーターミナル１の接続が完了する。バッテリーターミナル１は、電流センサ２におけるストッパー２７の存在により、バッテリーポスト４を中心に回転してしまうことはない。
【００３７】
以上、図１及び図２を参照しながら説明してきたように、本発明によれば、ケーブル１７に対して電流センサ２を挿通しなくても簡単に取り付け固定をすることができる。また、ケーブル接続部１０に対して直接、取り付け固定をすることから、電流センサ２の取り付けに係るスペースを従来よりも格段に小さくすることができる。
【００３８】
本発明によれば、電流センサ２に取付固定手段２０を設けることで、電流センサ２の取り付けに係る手順の自由度を従来よりも高めることができる。
【実施例２】
【００３９】
以下、図面を参照しながら第２実施例を説明する。図３は本発明の電流センサの取付固定構造を示す斜視図である。また、図４は図３の電流センサを取り付ける前の状態を示す斜視図である。尚、上記実施例１と同一の構成部材には同一の符号を付して詳細な説明を省略する。
【００４０】
図３及び図４において、バッテリー３のバッテリーポスト４には、バッテリーターミナル１が接続されている。このバッテリーターミナル１には、ケーブル接続部１０を介してケーブル１７が接続されている。ケーブル１７の被覆部分における所望の位置には、電流センサ３１が後付けにより取り付け固定されている。
【００４１】
上記電流センサ３１は、チップ型の電流検出回路部（図示省略）を内蔵するセンサブロック１８と、コネクタ部１９とを有して図示の形状に形成されている。センサブロック１８及びコネクタ部１９の大半は、絶縁性を有する樹脂材料にて成形されている。
【００４２】
センサブロック１８は、略矩形のブロック形状に形成されている（形状は一例であるものとする）。センサブロック１８には、ケーブル１７の被覆部分に対して非挿通式の取り付けとなる取付固定手段３２が設けられている。取付固定手段３２は、ケーブル１７の被覆部分に対して直接後付けをすることができる部分として設けられている。取付固定手段３２は、ケーブル１７の被覆部分を収容するための収容部３３と、この収容部３３における被覆部分の収容状態を保って結束する結束バンド３４（結束部材）と、この結束バンド３４を使用するための部分として貫通形成される結束部材挿通部２３と、収容部３３における被覆部分の収容状態を保ってテープ巻き３５をするためのテープ巻き部２４とを有している。
【００４３】
収容部３３は、略溝状となる形状であって、ケーブル１７の径方向からの収容が可能に開口形成されている。また、収容部３３は、ケーブル１７の延在方向となる溝両端部が開口するように形成されている。
【００４４】
テープ巻き部２４は、収容部３３の一方の溝端部に連続するように、また、センサブロック１８の側面から突出するように形成されている。テープ巻き部２４は、略樋状となる形状に形成されている。このようなテープ巻き部２４には、ケーブル１７の径が細くなった場合を考慮して、結束バンド３４を使用することが可能な結束部材挿通部２５が貫通形成されている。
【００４５】
次に、上記構成及び構造に基づきながら、電流センサ３１の取り付けと、バッテリーターミナル１のバッテリーポスト３への接続とについて説明をする。
【００４６】
電流センサ３１の取り付けは、先ずバッテリーターミナル１から延びるケーブル１７の被覆部分における所望の位置に電流センサ３１を沿わせる。次に収容部３３における被覆部分の収容状態を保ったままで結束バンド３４により結束するとともに、テープ巻き３５を施して固定をする。以上により電流センサ３１の取り付けが完了する。電流センサ３１の取り付けは非常に簡単に完了する。
【００４７】
バッテリーポスト４への接続は、先ず電流センサ２を取り付けた状態のバッテリーターミナル１を下方向に移動させて環状部８をバッテリーポスト４の周側面に接触させる。次に、バッテリーターミナル１の向きを所定方向に合わせて配置する。続いて、バッテリーターミナル１の横方向からインパクトレンチ等の図示しない工具を用いてナット１２を締め付ける。これにより、環状部８が縮径方向に縮み、環状部８はバッテリーポスト４の周側面に対して圧接状態となる。以上によりバッテリーターミナル１の接続が完了する。
【００４８】
以上、図３及び図４を参照しながら説明してきたように、本発明によれば、ケーブル１７に対して電流センサ３１を挿通しなくても簡単に取り付け固定をすることができる。また、ケーブル１７の被覆部分に対して直接、取り付け固定をすることから、電流センサ３１の取り付けに係るスペースを従来よりも格段に小さくすることができる。
【００４９】
本発明によれば、電流センサ３１に取付固定手段３２を設けることで、電流センサ３１の取り付けに係る手順の自由度を従来よりも高めることができる。
【実施例３】
【００５０】
以下、図面を参照しながら実施例３を説明する。図５は本発明の電流センサの取付固定構造を示す斜視図である。また、図６は図５の電流センサを取り付ける前の状態を示す斜視図である。尚、上記実施例１、２と同一の構成部材には同一の符号を付して詳細な説明を省略する。
【００５１】
図５及び図６において、バッテリー３のバッテリーポスト４には、バッテリーターミナル４１が接続されている。このバッテリーターミナル４１には、ケーブル接続部４２を介してケーブル４３の端末に設けられる端子４４が接続されている。端子４４には、ケーブル４３の導体を加締めることにより生じる導体加締め部４５が形成されている。この導体加締め部４５には、電流センサ２が取り付け固定されている。
【００５２】
上記バッテリーターミナル４１は、導電性を有する金属板をプレス加工することにより製造されている。本実施例においては、Ｓｎメッキが施されている。バッテリーターミナル４１は、一対の環状部４６、４６と、一対の締め付け部４７、４７と、ケーブル接続部４２とを有している。また、バッテリーターミナル４１は、ケーブル接続部４２に設けられる端子固定ボルト４８と、端子固定ボルト４８に螺合するナット４９とを有している。さらに、バッテリーターミナル４１は、締め付けボルト５０と、この締め付けボルト５０に螺合するナット５１とを有している。
【００５３】
環状部４６の略中央には、バッテリーポスト４が挿入されるバッテリーポスト挿入穴５２が上下方向に貫通形成されている。バッテリーポスト挿入穴５２は、バッテリーポスト４の周側面に接触する部分として形成されている。バッテリーポスト挿入穴５２は、締め付け部４７、４７の間となる部分が分断された状態に形成されている。
【００５４】
締め付け部４７、４７は、環状部４６、４６を上下に配置するようにこれらを連結する部分であって、Ｕ字状に湾曲するような形状に形成されている。締め付け部４７、４７は、バッテリーポスト挿入穴５２の一部分断された部分に連続する締め付け間隙５３を有するように配置形成されている。締め付け部４７、４７の内側には、ボルト挿通孔（符号省略）が形成されている。このボルト挿通孔には、上記締め付けボルト５０が挿入されるようになっている。
【００５５】
締め付けボルト５０は、先端に螺合するナット５１と共働して、締め付け間隙５３の両側に配置される締め付け部４７、４７を互いに近接する方向に締め付けるようになっている（締め付けが生じると、バッテリーポスト挿入穴５２が縮径し、バッテリーポスト４への接続固定ができるようになっている）。
【００５６】
ケーブル接続部４２と、端子固定ボルト４８と、ナット４９は、ケーブル４３の端末に設けられる端子４４を接続する部分として設けられている。
【００５７】
上記電流センサ２は、実施例１と同じものであって、チップ型の電流検出回路部（図示省略）を内蔵するセンサブロック１８と、コネクタ部１９とを有している。センサブロック１８には、ケーブル４３の端末に対して非挿通式の取り付けとなる取付固定手段２０が設けられている。取付固定手段２０は、ケーブル４３の端末に対して直接後付けをすることができる部分として設けられている。取付固定手段２０は、導体加締め部４５を収容するための収容部２１と、この収容部２１を挟む位置に一体に形成される係止アーム２２、２２とを有している。収容部２１は、略溝状となる形状であって、ケーブル４３の径方向からの収容が可能に開口形成されている。また、収容部２１は、ケーブル４３の延在方向となる溝両端部が開口するように形成されている。
【００５８】
係止アーム２２、２２は、導体加締め部４５を係止することができるように形成されている（加締めを施した部分を係止することができるように形成されている）。
【００５９】
取付固定手段２０としては、上記の他に（本実施例においては特に使用していない）、収容部２１における導体加締め部４５の収容状態を保って結束する図示しない結束バンド（結束部材）と、この結束バンドを使用するための部分として貫通形成される結束部材挿通部２３と、収容部２１における導体加締め部４５の収容状態を保ってテープ巻き（図示省略）をするためのテープ巻き部２４とを有している。
【００６０】
次に、上記構成及び構造に基づきながら、電流センサ２の取り付けと、バッテリーターミナル４１のバッテリーポスト３への接続とについて説明をする。
【００６１】
電流センサ２の取り付けは、先ずケーブル４３を接続した状態のバッテリーターミナル４１と電流センサ２とを上下に配置する。次にケーブル４３の径方向に電流センサ２を移動させ（又はバッテリーターミナル４１を移動させ）、導体加締め部４５を収容部２１に収容する。この時、係止アーム２２、２２に撓みが生じ、導体加締め部４５が収容部２１に完全に収容されると弾性復帰して係止アーム２２、２２は導体加締め部４５を係止する。以上により電流センサ２の取り付けが完了する。電流センサ２の取り付けは、上記説明の場合、ワンタッチで済み、非常に簡単である。尚、電流センサ２をより確実に固定するのであれば、結束部材及び／又はテープ巻きを施せばよい。
【００６２】
バッテリーポスト４への接続は、先ず電流センサ２を取り付けた状態のバッテリーターミナル４１を下方向に移動させてバッテリーポスト挿入穴５２をバッテリーポスト４の周側面に接触させる。次に、バッテリーターミナル４１の向きを所定方向に合わせて配置する。続いて、バッテリーターミナル４１の横方向からインパクトレンチ等の図示しない工具を用いてナット５１を締め付ける。これにより、バッテリーポスト挿入穴５２が縮径方向に縮み、バッテリーポスト挿入穴５２はバッテリーポスト４の周側面に対して圧接状態となる。以上によりバッテリーターミナル４１の接続が完了する。バッテリーターミナル４１は、電流センサ２におけるストッパー２７の存在により、バッテリーポスト４を中心に回転してしまうことはない。
【００６３】
以上、図５及び図６を参照しながら説明してきたように、本発明によれば、ケーブル４３に対して電流センサ２を挿通しなくても簡単に取り付け固定をすることができる。また、導体加締め部４５に対して直接、取り付け固定をすることから、電流センサ２の取り付けに係るスペースを従来よりも格段に小さくすることができる。
【００６４】
本発明によれば、電流センサ２に取付固定手段２０を設けることで、電流センサ２の取り付けに係る手順の自由度を従来よりも高めることができる。
【実施例４】
【００６５】
以下、図面を参照しながら実施例４を説明する。図７は本発明の電流センサの取付固定構造を示す斜視図である。また、図８は図７の電流センサを取り付ける前の状態を示す斜視図、図９は図７に対してバッテリーターミナルの延在方向を変えた状態の斜視図、図１０は図９の電流センサを取り付ける前の状態を示す斜視図である。尚、上記実施例１〜３と同一の構成部材には同一の符号を付して詳細な説明を省略する。
【００６６】
図７ないし図１０において、バッテリー３のバッテリーポスト４には、バッテリーターミナル４１が接続されている。このバッテリーターミナル４１には、ケーブル接続部４２を介してケーブル４３の端末に設けられる端子４４が接続されている。端子４４には、ケーブル４３の導体を加締めることにより生じる導体加締め部４５が形成されている。この導体加締め部４５には、電流センサ６１が取り付け固定されている。
【００６７】
上記電流センサ６１は、実施例３の電流センサ２（図５及び図６参照）に対してポスト取付固定部６２を一体に形成したものとなっている。ポスト取付固定部６２について具体的に説明をすると、略帯板状の形状でセンサブロック１８に連成されている。ポスト取付固定部６２には、バッテリーターミナル４１よりも先にバッテリーポスト４に対し挿通されるポスト挿通孔６３が形成されている。ポスト取付固定部６２は、電流センサ６１の固定に関し、バッテリーポスト４を利用する部分となっている。
【００６８】
ポスト挿通孔６３は、コネクタ部１９におけるストッパー２７をバッテリー３の第一側面６及び第二側面７のいずれに対しても当接させることができるようにするため、平面視長円形状に貫通形成されている（汎用性を持たせる必要がない場合は、ポスト挿通孔６３を平面視円形状に形成すればよい）。
【００６９】
ポスト取付固定部６２は、バッテリーターミナル４１とバッテリー３との間に介在するように形成されている。従って、バッテリーターミナル４１用の防食カバーとして機能するようになっている。
【００７０】
次に、上記構成及び構造に基づきながら、電流センサ６１の取り付けと、バッテリーターミナル４１のバッテリーポスト３への接続とについて説明をする。
【００７１】
電流センサ６１の取り付けは、実施例３と同じであって、先ずケーブル４３を接続した状態のバッテリーターミナル４１と電流センサ６１とを上下に配置する。次にケーブル４３の径方向に電流センサ６１を移動させ（又はバッテリーターミナル４１を移動させ）、導体加締め部４５を収容部２１に収容する。この時、係止アーム２２、２２に撓みが生じ、導体加締め部４５が収容部２１に完全に収容されると弾性復帰して係止アーム２２、２２は導体加締め部４５を係止する。以上により電流センサ６１の取り付けが完了する。
【００７２】
バッテリーポスト４への接続は、先ず電流センサ６１を取り付けた状態のバッテリーターミナル４１を下方向に移動させてバッテリーポスト挿入穴５２をバッテリーポスト４の周側面に接触させる。この時、ポスト取付固定部６２におけるポスト挿通孔６３が先にバッテリーポスト４に挿通される。次に、バッテリーターミナル４１の向きを所定方向に合わせて配置する。続いて、バッテリーターミナル４１の横方向からインパクトレンチ等の図示しない工具を用いてナット５１を締め付ける。これにより、バッテリーポスト挿入穴５２が縮径方向に縮み、バッテリーポスト挿入穴５２はバッテリーポスト４の周側面に対して圧接状態となる。以上によりバッテリーターミナル４１の接続が完了する。バッテリーターミナル４１は、電流センサ６１におけるストッパー２７の存在により、バッテリーポスト４を中心に回転してしまうことはない。
【００７３】
以上、図７ないし図１０を参照しながら説明してきたように、本発明によれば、ケーブル４３に対して電流センサ６１を挿通しなくても簡単に取り付け固定をすることができる。また、導体加締め部４５に対して直接、取り付け固定をすることから、電流センサ６１の取り付けに係るスペースを従来よりも格段に小さくすることができる。
【００７４】
本発明によれば、電流センサ６１に取付固定手段２０を設けることで、電流センサ６１の取り付けに係る手順の自由度を従来よりも高めることができる。
【００７５】
本発明によれば、ポスト取付固定部６２を有する電流センサ６１を用いることから、より良い固定を図ることができる。また、バッテリーターミナル４１に対し別部品で防食カバーを設ける必要がなく、ポスト取付固定部６２にて代用することができる。
【実施例５】
【００７６】
以下、図面を参照しながら実施例５を説明する。図１１は本発明の電流センサの取付固定構造を示す斜視図である。また、図１２は図１１の電流センサを取り付ける前の状態を示す斜視図、図１３は図１１に対してバッテリーターミナルの延在方向を変えた状態の斜視図、図１４は図１３の電流センサを取り付ける前の状態を示す斜視図である。尚、上記実施例１〜４と同一の構成部材には同一の符号を付して詳細な説明を省略する。
【００７７】
図１１ないし図１４において、バッテリー３のバッテリーポスト４には、バッテリーターミナル１が接続されている。このバッテリーターミナル１には、ケーブル接続部１０を介してケーブル１７が接続されている。ケーブル接続部１０の位置には、電流センサ６１が取り付け固定されている。
【００７８】
電流センサ６１は、実施例４のものと基本的に同じに構成されている。電流センサ６１は、バッテリーターミナル１に合わせた形状である点で実施例４と相違している。
【００７９】
電流センサ６１の取り付けと、バッテリーターミナル１のバッテリーポスト３への接続は、実施例４や実施例１と同じであり、ここでの説明は省略するものとする。また、効果についても実施例４や実施例１と同じであり、ここでの説明は省略するものとする。
【００８０】
この他、本発明は本発明の主旨を変えない範囲で種々変更実施可能なことは勿論である。
【符号の説明】
【００８１】
１…バッテリーターミナル
２…電流センサ
３…バッテリー
４…バッテリーポスト
５…上面
６…第一側面
７…第二側面
８…環状部
９…締め付け部
１０…ケーブル接続部（接続部）
１１…締め付けボルト
１２…ナット
１３…締め付け間隙
１４、１５…フランジ部
１６…ストッパ
１７…ケーブル
１８…センサブロック
１９…コネクタ部
２０…取付固定手段
２１…収容部
２２…係止アーム
２３、２５…結束部材挿通部
２４…テープ巻き部
２６…ハウジング
２７…ストッパー
２８…下面
３１…電流センサ
３２…取付固定手段
３３…収容部
３４…結束バンド（結束部材）
３５…テープ巻き
４１…バッテリーターミナル
４２…ケーブル接続部
４３…ケーブル
４４…端子
４５…導体加締め部
４６…環状部
４７…締め付け部
４８…端子固定ボルト
４９、５１…ナット
５０…締め付けボルト
５２…バッテリーポスト挿入穴
５３…締め付け間隙
６１…電流センサ
６２…ポスト取付固定部
６３…ポスト挿通孔
【図１】
2011179824.tif 000003
【図２】
2011179824.tif 000004
【図３】
2011179824.tif 000005
【図４】
2011179824.tif 000006
【図５】
2011179824.tif 000007
【図６】
2011179824.tif 000008
【図７】
2011179824.tif 000009
【図８】
2011179824.tif 000010
【図９】
2011179824.tif 000011
【図１０】
2011179824.tif 000012
【図１１】
2011179824.tif 000013
【図１２】
2011179824.tif 000014
【図１３】
2011179824.tif 000015
【図１４】
2011179824.tif 000016